(57)【要約】【課題】  汚れが付き難く、構造が簡単で安価につくストレーナーを備えたシンクを提供すること。【解決手段】  シンク本体１０ａの底面部１１に設けた排水凹部１３にストレーナー１７を設置してシンク１０を構成した。排水凹部１３を、平面視による形状を略四角形に維持したまま上縁部から下方に向かって先細りになった凹部上部１３ａと、平面視による形状が略四角形になった上部から下方に向かって先細りになって平面視が円形に形成された排水口１３ｄの縁部に繋がった凹部下部１３ｂと、凹部上部１３ａと凹部下部１３ｂとを滑らかな曲面で結ぶ境界部１３ｃとで構成した。また、ストレーナー１７を、平面視が略四角形に形成され境界部１３ｃに位置決めされるフランジ部１７ａと、フランジ部１７ａの内周面に取り付けられた複数の小孔１７ｃを有する捕集部１７ｂとで構成した。【選択図】  図２
2018031171.tif 000002
【特許請求の範囲】
【請求項１】
底面部と周壁部とからなるシンク本体と、
平面視による形状を略四角形に維持したまま上縁部から下方に向かって先細りになった凹部上部と、平面視による形状が略四角形になった上部から下方に向かって先細りになって平面視が円形に形成された排水孔の縁部に繋がった凹部下部と、前記凹部上部と前記凹部下部との間に位置して前記凹部上部の下端部と前記凹部下部の上端部とを滑らかな曲面で結ぶ境界部とからなり、前記底面部に設けられた排水凹部と、
平面視が略四角形に形成され前記境界部に当接するフランジ部と、前記フランジ部に取り付けられた複数の小孔を有する捕集部とからなるストレーナーと
を備えたことを特徴とするシンク。
【発明の詳細な説明】
【技術分野】
【０００１】
本発明は、シンク本体の底面部に形成された排水孔を有する排水凹部に、廃棄物を捕集するためのストレーナーが取り付けられたシンクに関する。
【背景技術】
【０００２】
台所で使用されるシンクの底面には、使用済の水を流すための勾配が設けられ、その勾配の下端部分に、下端に排水孔が形成された排水凹部が形成されている。このようなシンクの中に、残菜やごみなどの廃棄物が排水孔内に入ることを防止するために、排水凹部にストレーナーを設置したものがある（例えば、特許文献１参照）。
【０００３】
このシンクでは、排水凹部（ストレーナー収容凹部）の排水孔に排水管を接続するための取付け用フランジと目皿とが取り付けられている。また、ストレーナーは、複数の透過穴を備えごみ捕集部として機能する受け部と、受け部の周縁部に設けられた鍔部と、受け部の裏面下端部に設けられた脚部とで構成されている。そして、ストレーナーは、脚部を取付け用フランジに当接させることで、正しい位置に位置決めされた状態で、排水凹部に取り付けられ、脚部の下方には目皿が位置している。
【先行技術文献】
【特許文献】
【０００４】
【特許文献１】特開２０１０−１２６９８３号公報
【発明の概要】
【０００５】
しかしながら、前述したシンクでは、ストレーナーの受け部の底面と脚部との間に汚れがたまるという問題がある。また、ストレーナーの脚部が取付け用フランジや目皿に接触するため、その接触部に汚れがたまるという問題もある。さらに、ストレーナーに脚部を取り付けるため、ストレーナーが高価になるという問題や、脚部が受け部から外れることがあるという問題もある。
【０００６】
本発明は、前述した問題に対処するためになされたもので、その目的は、汚れが付き難く、構造が簡単で安価につくストレーナーを備えたシンクを提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係るシンクの構成上の特徴は、底面部（１１）と周壁部（１２）とからなるシンク本体（１０ａ）と、平面視による形状を略四角形に維持したまま上縁部から下方に向かって先細りになった凹部上部（１３ａ）と、平面視による形状が略四角形になった上部から下方に向かって先細りになって平面視が円形に形成された排水孔の縁部に繋がった凹部下部（１３ｂ）と、凹部上部と凹部下部との間に位置して凹部上部の下端部と凹部下部の上端部とを滑らかな曲面で結ぶ境界部（１３ｃ）とからなり、底面部に設けられた排水凹部（１３）と、平面視が略四角形に形成され境界部に当接するフランジ部（１７ａ）と、フランジ部の内周面に取り付けられた複数の小孔（１７ｃ）を有する捕集部（１７ｂ）とからなるストレーナーとを備えたことにある。
【０００８】
本発明に係るシンクでは、底面部に、下端に排水孔が形成された排水凹部が設けられており、この排水凹部は、平面視が略四角形になって上部から下部に向かって先細りになった凹部上部と、平面視が略四角形から円形に変形しながら上部から下方に向かって先細りになった凹部下部とを備えている。そして、凹部上部と凹部下部との境界部、すなわち、平面視が略四角形になった部分の最下部近傍が、凹部上部の下端部と凹部下部の上端部とを滑らかに結ぶ曲面で構成されている。また、ストレーナーは、境界部に位置決めされるフランジ部と、フランジ部の内周面に取り付けられた複数の小孔を有する捕集部とで構成されている。
【０００９】
このため、ストレーナーを排水凹部に設置するために、上方から排水凹部内に降ろしていくと、フランジ部は、凹部上部を通過したのちに境界部に到達する。そして、境界部の下方に位置する凹部下部は、平面視が略四角形の上部から円形の下部に変形していくため、フランジ部はそれ以上下方には降下できなくなる。このため、ストレーナーは、フランジ部を境界部に位置させた状態で排水凹部内に設置される。したがって、排水凹部の上部が平面視四角形なのでストレーナの回転を規制し、境界部がストッパーとなり、ストレーナーを載置できる。また、凹部上部と境界部との間および境界部と凹部下部との間はそれぞれ滑らかな曲面で繋がっているため、排水凹部は、全体として、角部のない平面または曲面で構成され、汚れが付き難く、汚れが付いてもその汚れを落とし易いものとなる。
【００１０】
なお、本発明における境界部の平面視略四角形と、フランジ部の平面視略四角形は同じ形状であるとし、境界部の上端の平面視略四角形は、フランジ部の平面視略四角形よりも大きく、境界部の下端の平面視略四角形は、フランジ部の平面視略四角形よりも小さいものとする。また、境界部は、上下方向の長さは短いものであるが、この境界部の平面視略四角形も上方から下方にいくほど先細りになっているものとする。さらに、本発明における略四角形は、角部が丸くなったものでもよく、略正方形でも略長方形でもよい。排水孔の円形に対して、凹部上部が変形して略四角形になっていればよい。また、複数の小孔を有する捕集部は、容器状部材に穴を設けたものであってもよいし、網籠のような部材であってもよく、水は通過させ廃棄物は捕集できるものであればよい。
【図面の簡単な説明】
【００１１】
【図１】本発明の一実施形態に係るシンクを示した平面図である。
【図２】図１の２−２断面図である。
【図３】図１の３−３断面図である。
【図４】図２に示した排水凹部を拡大した断面図である。
【図５】図３に示した排水凹部を拡大した断面図である。
【図６】ストレーナーを示しており、（ａ）は平面図、（ｂ）は正面図、（ｃ）は側面図である。
【発明を実施するための形態】
【００１２】
以下、本発明の一実施形態を図面を用いて説明する。図１ないし図３は、同実施形態に係るシンク１０を示している。以下の説明において、シンク１０の前部は図１の下部側で後部は図１の上部側とする。このシンク１０では、底面部１１の周縁部（後部左側の一部を除いた部分）から周壁部１２を立ち上げて樹脂の一体成形からなるシンク本体１０ａが構成されている。そして、底面部１１の後部における左右方向の中央に排水凹部１３が形成され、底面部１１の後方における排水凹部１３の左側には水栓設置部１４が形成されている。また、底面部１１の上面における水栓設置部１４の前方には溝１５が形成され、底面部１１の上面の後部右側部分には溝１６が形成されている。さらに、排水凹部１３にはストレーナー１７が設置されている。
【００１３】
底面部１１の平面視による形状は、前後よりも左右が長い四角形の後部左側部分を斜めに切り欠いた形状に形成されており、各角部にはそれぞれアールがつけられて角部が丸く形成されている。底面部１１の後部左縁部１１ｅは、左縁部１１ａの後端部から後縁部１１ｃに向かって右後方に真っすぐに延びたのちに後方に延びて、後縁部１１ｃの左端部に繋がっている。この底面部１１の上面には、前部から後部にかけて僅かに下り傾斜になった勾配が設けられている。
【００１４】
周壁部１２は、後部左縁部１１ｅを除いた底面部１１の各縁部１１ａ，１１ｂ，１１ｃ，１１ｄと水栓設置部１４の外周側縁部から上方に延びており、左側壁部１２ａ、右側壁部１２ｂ、後壁部１２ｃ、前壁部１２ｄおよび後部左傾斜部１２ｅを備えている。周壁部１２の各角部および周壁部１２と底面部１１の各角部にもそれぞれアールがつけられて角部が丸くなっている。なお、本実施形態では、各縁部１１ａ，１１ｂ，１１ｃ，１１ｄは底面部１１と周壁部１２とのアール部分の中央部としている。また、周壁部１２の上端部には、外側に水平に突出する環状のフランジ部１２ｆが形成されている。
【００１５】
排水凹部１３は、図４および図５に示したように、上部に位置する凹部上部１３ａと、下部に位置する凹部下部１３ｂと、凹部上部１３ａと凹部下部１３ｂの間に位置する境界部１３ｃとで構成されており、凹部下部１３ｂの底部には排水孔１３ｄが形成されている。なお、図４および図５において、二点鎖線ａ，ｂの間が境界部１３ｃで、二点鎖線ａよりも上方の部分が、凹部上部１３ａで、二点鎖線ｂよりも下方の部分が、凹部下部１３ｂである。また、排水凹部１３の所定部分には、アールが付けられており、図４および図５に示した各二点鎖線は、アール部分の中心部を示している。
【００１６】
凹部上部１３ａは、溝１５，１６の底部とそれぞれ繋がって形成されている。凹部上部１３ａの平面視による形状は、前後よりも左右が長い四角形の各角部にそれぞれアールをつけて角部を丸くした形状に形成されており、横断面の大きさは上部から下方にいくほど僅かずつ小さくなっている。凹部上部１３ａの横断面形状は、上部から下方に向かって直線状に先細りになっている。凹部下部１３ｂは、上端部が、平面視で凹部上部１３ａの下端部よりも僅かに小さな略四角形に形成され、下端部が円形に形成されて排水孔１３ｄの周縁部に繋がっている。この凹部下部１３ｂの横断面形状は、上部から下部にいくほど、略四角形から円形に変化しながら下方にいくほど徐々に小さくなっている。
【００１７】
また、凹部下部１３ｂの垂直方向に対する傾斜角度は、凹部上部１３ａの垂直方向に対する傾斜角度よりも大きくなっている。このため、凹部上部１３ａよりも凹部下部１３ｂの方が細くなる割合を大きくしながら下方に延びている。境界部１３ｃは、凹部上部１３ａと凹部下部１３ｂとの間に段や角が生じないようにするために形成された部分であり、平面視が略四角形の細長い環状に形成されている。排水孔１３ｄは、凹部下部１３ｂの底面の中央に形成された円形の孔で構成されている。
【００１８】
また、排水凹部１３全体の縦断面形状は、図４に示した前方から見た状態では、下端部の幅と、排水凹部１３の全体の高さが略同じで、上端部の幅は下端部の幅の２．４倍程度に設定され、上部から下部に行くほど径が小さくなった内面凹状の曲面に形成されている。これをより詳しく説明すると、凹部上部１３ａは、左右の内面の上端部間の長さ（最上部の二点鎖線の長さ）が１７８ｍｍで、高さ（最上部の二点鎖線と二点鎖線ａとの間の長さ）が１４ｍｍで、左右の内面の下端部間の長さ（二点鎖線ａの長さ）が１７５ｍｍである。
【００１９】
なお、凹部上部１３ａの内周壁面は、それぞれ平面、すなわち凹部上部１３ａを図４に示す前方から見たとき、凹部上部１３ａの内面は直線で構成されている。境界部１３ｃは、凹部上部１３ａの内周面と凹部下部１３ｂの内周面とに接する曲面で構成され、高さが４ｍｍで、曲率半径が１２ｍｍの曲面になっている。また、凹部下部１３ｂは、左右の内面の上端部間の長さが１７３ｍｍで、高さが５４ｍｍで、左右の内面の下端部間の長さ（最下部の二点鎖線の長さ）が７５ｍｍで、曲率半径が１４４ｍｍ程度の曲面になっている。
【００２０】
排水凹部１３全体の縦断面形状は、図５に示した側方から見た状態では、下端部の幅と、排水凹部１３全体の高さ（深さ）が略同じで、上端部の幅は下端部の幅の１．６倍程度に設定され、上部から下部に行くほど径が小さくなった内面凹状の曲面に形成されている。これをより詳しく説明すると、凹部上部１３ａは、前後の内面の上端部間の長さが１２０ｍｍで、高さが１４ｍｍで、前後の内面の下端部間の長さが１１７ｍｍである。
【００２１】
なお、凹部上部１３ａの内周壁面は、それぞれ平面、すなわち凹部上部１３ａを図５に示す側方から見たとき、凹部上部１３ａの内面は直線で構成されている。境界部１３ｃは、凹部上部１３ａの内周面と凹部下部１３ｂの内周面とに接する曲面で構成され、高さ、曲率半径ともに全周にわたって同じになっている。また、凹部下部１３ｂは、前後の内面の上端部間の長さが１１５ｍｍで、高さが５４ｍｍで、前後の内面の下端部間の長さが７５ｍｍで、曲率半径が２９７ｍｍ程度の曲面になっている。
【００２２】
排水孔１３ｄは、直径が６０ｍｍ程度の円形の孔で構成されており、その周縁部に外部に通じる排水管（図示せず）が接続される。また、排水凹部１３の各部分は、段のない状態で繋がって連続した曲面を構成しており、排水孔１３ｄと、排水孔１３ｄに隣接する後壁部１２ｃ等とも、段のない状態で繋がって連続した曲面を構成している。
【００２３】
水栓設置部１４は、底面部１１の後部左縁部１１ｅから上方に延びる前面部１４ａと、前面部１４ａの上端部と後部左傾斜部１２ｅの下端部との間に設けられた上面部１４ｂとで構成されている。上面部１４ｂには、水栓取付け用の２つの孔１４ｃが設けられ、各孔１４ｃにそれぞれ水栓（図示せず）が設置される。２つの水栓は、例えば、一方が水道水を供給する水栓で、他方が浄水を供給する水栓にすることができる。
【００２４】
溝１５は、底面部１１の後部左縁部１１ｅに沿って、後部左縁部１１ｅの左右の中央部分から排水凹部１３までの間に形成されている。そして、溝１５は排水凹部１３の側部の前端部を含む一部に繋がっている。この溝１５の幅は、全体にわたって約５０ｍｍに設定されている。溝１５の深さは、左端の入り口が、底面部１１と同じ高さで、排水凹部１３の近傍の最も深い部分が約１２ｍｍに設定されている。
【００２５】
溝１６は、底面部１１の後縁部１１ｃに沿って、後縁部１１ｃの右端部近傍から排水凹部１３までの間に形成されており、溝１６の左右の長さは後縁部１１ｃの長さの略半分に設定されている。そして、溝１６は排水凹部１３の側部全体に繋がっている。この溝１６の幅は、右端部が約７０ｍｍに設定され、排水凹部１３に近づくほど徐々に広くなって、排水凹部１３の近傍の最も広い部分が約１２０ｍｍに設定されている。溝１６の深さは、右端の入り口が、底面部１１と同じ高さで、排水凹部１３の近傍の最も深い部分が約１２ｍｍに設定されている。
【００２６】
ストレーナー１７は、排水凹部１３に着脱自在に設置されて、排水孔１３ｄ内に廃棄物が入ることを防止するもので、図６（ａ）〜（ｃ）に示したように、フランジ部１７ａと捕集部１７ｂとで構成されている。フランジ部１７ａは、平面視による形状が、前後よりも左右が長い四角形の各角部にそれぞれアールをつけて角部を丸くした枠状に形成されている。
【００２７】
また、フランジ部１７ａは、環状の板材の外周部分を下方に折り曲げて内周部分の下面に合わせた形状をしており、外周縁部よりも開放された内周縁部の方が下方に位置するように傾斜している。このフランジ部１７ａの外周部、特に、外周面から下面にかけての部分は滑らかな曲面で構成されている。また、フランジ部１７ａの内周部の右側中央部には、フランジ部１７ａの内部側に突出する把持部１８が形成されている。把持部１８は、平面視が略台形に形成されており、フランジ部１７ａに連結された基端部よりも先端部が上方に位置するように傾斜している。
【００２８】
捕集部１７ｂは、複数の小さな孔１７ｃが全面に形成されたパンチングメタルで構成されており、外周部よりも中央部が下方に膨らんだ曲面状に形成されている。この捕集部１７ｂは、外周縁部がフランジ部１７ａの折り曲げられた部分に挟まれることでフランジ部１７ａに組み付けられている。また、捕集部１７ｂは、正面側から見た図６（ｂ）の状態では下端部が中央よりも左側に位置して、左側部分が右側部分よりも深くなっているが、側方から見た図６（ｃ）の状態では、下端部が中央に位置して、上下対称（フランジ部１７ａを上方に位置させた状態では左右対称）になっている。
【００２９】
このストレーナー１７の外周縁部の平面視による形状および大きさは、排水凹部１３の境界部１３ｃと略同じで、境界部１３ｃの上端部よりも僅かに小さく、境界部１３ｃの下端部よりも僅かに大きくなっている。ストレーナー１７の左右方向の長さは１７４ｍｍで、前後方向の長さは１１６ｍｍで、高さは４７ｍｍになっている。このストレーナー１７は、フランジ部１７ａを境界部１３ｃに当接させて排水凹部１３内に配置される。その状態では、捕集部１７ｂは、排水凹部１３に接触しない。また、複数の孔１７ｃは、それぞれ直径が１．４ｍｍで、隣接する各孔１７ｃの中心間の長さが１．８ｍｍになるようにして形成されている。なお、図示は省略しているが、排水凹部１３の上端開口部には、廃棄物以外のものがストレーナー１７内に入ることを防止するための排水口蓋が設置される。
【００３０】
この構成において、シンク１０を用いて野菜や食器などを洗う場合には、まず、排水凹部１３内にストレーナー１７を設置する。この場合、把持部１８を持って、排水凹部１３の上方から排水凹部１３内にストレーナー１７を下げていく。これによって、ストレーナー１７は、凹部上部１３ａ内を通過していき、フランジ部１７ａが境界部１３ｃに当接すると、それ以上下降できなくなる。このとき、フランジ部１７ａの外周縁部の平面視による形状および大きさは、排水凹部１３の境界部１３ｃと略同じであるため、フランジ部１７ａの外周縁部の略全体が境界部１３ｃに当接する。このため、ストレーナー１７は前後、左右のどの方向にも位置ずれすることなく安定した状態で設置される。
【００３１】
つぎに、排水凹部１３の開口部に排水口蓋を設置する。そして、シンク１０の底面部１１の作業面（溝１５と溝１６を除いた部分）に、野菜や食器などを置き、一方の水栓から水を出しながらその水と洗剤を用いて野菜や食器を洗う。これによって、洗剤を含む使用済の水（排水）のうち、底面部１１の左側に流れる排水は溝１５を通過して排水凹部１３内に入り、底面部１１の右側に流れる排水は溝１６を通過して排水凹部１３内に入る。また、一部の排水は底面部１１の中央部分を通過して排水凹部１３内に入る。
【００３２】
また、排水と一緒に残菜が流れる場合には、大きな残菜は、排水口蓋によって、排水凹部１３内に入ることは防止されるが、くずのような小さな残菜は溝１５または溝１６を通過して排水凹部１３内に入る。そして、排水凹部１３内に入った残菜はストレーナー１７内に溜まり、排水だけが排水孔１３ｄから排水管に流れていく。このとき、排水の流れによってストレーナー１７が位置ずれすることはない。また、残菜をストレーナー１７とともに取り出す際には、排水口蓋を排水凹部１３から外したのちに、把持部１８を持ち上げることで、ストレーナー１７を容易に取り出すことができる。
【００３３】
以上のように、本実施形態に係るシンク１０では、底面部１１に形成された排水凹部１３を、凹部上部１３ａと、凹部下部１３ｂと、凹部上部１３ａと凹部下部１３ｂとを結ぶ境界部１３ｃとで構成している。そして、凹部上部１３ａを、平面視による形状が略四角形になったまま上部から下部に向かって先細りになるように形成し、凹部下部１３ｂを、平面視による形状が略四角形から円形に変化しながら上部から下方に向かって先細りになるように形成している。また、境界部１３ｃは、凹部上部の下端部と凹部下部の上端部とを滑らかに結ぶように形成している。一方、ストレーナー１７は、境界部１３ｃに位置ずれすることなく設置されるフランジ部１７ａと、フランジ部１７ａの内側に取り付けられた捕集部１７ｂとで構成されている。
【００３４】
このため、ストレーナー１７を排水凹部１３に設置する際には、ストレーナー１７を上方から排水凹部１３内に降ろしていくだけの簡単な操作で、位置ずれしない状態で境界部１３ｃに設置できる。また、排水凹部１３は、角部のない平面または曲面で構成されているため、汚れが付き難く、汚れが付いてもその汚れを落とし易くなる。また、ストレーナー１７の捕集部１７ｂは排水凹部１３に接触しないため、排水凹部１３との間に汚れが溜まることもない。このため、排水凹部１３およびストレーナー１７の手入れが容易になる。
【００３５】
また、本発明に係るシンクは、前述した各実施形態に限定するものでなく、適宜変更して実施することができる。例えば、前述した実施形態では、排水凹部１３およびストレーナー１７の各部分の寸法を記載しているが、これらの寸法は適宜他の寸法に変更できる
ものである。また、本発明に係るシンクのそれ以外の部分の構成についても本発明の技術的範囲内で適宜変更することができる。
【符号の説明】
【００３６】
１０…シンク、１０ａ…シンク本体、１１…底面部、１２…周壁部、１３…排水凹部、１３ａ…凹部上部、１３ｂ…凹部下部、１３ｃ…境界部、１３ｄ…排水孔、１７…ストレーナー、１７ａ…フランジ部、１７ｂ…捕集部、１７ｃ…孔。
【図１】
2018031171.tif 000003
【図２】
2018031171.tif 000004
【図３】
2018031171.tif 000005
【図４】
2018031171.tif 000006
【図５】
2018031171.tif 000007
【図６】
2018031171.tif 000008